(57)【要約】【課題】蓋体が開いた状態および閉じた状態において、表示部の視認性が改善されたリモートコントローラを得る。【解決手段】表示部３は、第１の表示部３１、第２の表示部３２、および第１の表示部３１と第２の表示部３２との境界となる部分に形成された段差３３を有し、蓋体４を閉じると、蓋体４は、第２の表示部３２を覆うとともに、蓋体４の表面４ａと第１の表示部３１の表面３１ａとが、同一の面高さとなる。【選択図】図１
2018157317.tif 000002
【特許請求の範囲】
【請求項１】
表示部が設けられた本体と、前記本体の端部に回動自在に取り付けられた蓋体とを備えたリモートコントローラであって、
前記表示部は、第１の表示部、第２の表示部、および前記第１の表示部と前記第２の表示部との境界となる部分に形成された段差を有し、
前記蓋体を閉じると、前記蓋体は、前記第２の表示部を覆うとともに、前記蓋体の表面と前記第１の表示部の表面とが、同一の面高さとなることを特徴とするリモートコントローラ。
【請求項２】
前記第１の表示部の表面の面高さが、前記第２の表示部の表面の面高さより高いことを特徴とする請求項１記載のリモートコントローラ。
【請求項３】
前記表示部は、前記第２の表示部が前記本体に収容されるように前記本体に取り付けられ、
前記蓋体を閉じると、前記第１の表示部の側面が外部に露出し、かつ、前記第２の表示部の側面が外部に露出しないことを特徴とする請求項１記載のリモートコントローラ。
【発明の詳細な説明】
【技術分野】
【０００１】
この発明は、リモートコントローラに関する。
【背景技術】
【０００２】
リモートコントローラには、情報を表示する表示部が設けられる。特許文献１に開示されている遠隔操作の送信装置は、液晶表示部を有する。液晶表示部には、室温および設定温度等に関する情報を表示する主表示部と、風量およびタイマー等に関する情報を表示する副表示部とがある。当該装置は、開閉扉が開いた状態において、主表示部の情報および副表示部の情報がともに表示される。
【先行技術文献】
【特許文献】
【０００３】
【特許文献１】実開平４−３１８９０号公報
【発明の概要】
【発明が解決しようとする課題】
【０００４】
特許文献１に開示された構成では、開閉扉が開いた状態において、主表示部の情報および副表示部の情報がともに表示される。その際、主表示部に表示された情報と副表示部に表示された情報との境界がわかりにくく、表示部の視認性に問題があった。また、開閉扉が閉じた状態では、開閉扉に設けられた表示窓から主表示部を視認することができる。しかし、表示窓を覗き込まなければならないため、表示部の視認性に問題があった。
【０００５】
この発明は、上記のような課題を解決するためになされたもので、蓋体が開いた状態および閉じた状態において、表示部の視認性が改善されたリモートコントローラを得ることを目的とする。
【課題を解決するための手段】
【０００６】
この発明に係るリモートコントローラは、表示部が設けられた本体と、本体の端部に回動自在に取り付けられた蓋体とを備えたリモートコントローラであって、表示部は、第１の表示部、第２の表示部、および第１の表示部と第２の表示部との境界となる部分に形成された段差を有し、蓋体を閉じると、蓋体は、第２の表示部を覆うとともに、蓋体の表面と第１の表示部の表面とが、同一の面高さとなることを特徴とする。
【発明の効果】
【０００７】
この発明によれば、蓋体が開いた状態および閉じた状態において、表示部の視認性が改善されたリモートコントローラを得ることができる。
【図面の簡単な説明】
【０００８】
【図１】実施の形態１に係るリモートコントローラの構成を示す図である。
【図２】実施の形態１に係るリモートコントローラの構成を示す別の図である。
【図３】実施の形態１に係るリモートコントローラの構成を示す断面図である。
【発明を実施するための形態】
【０００９】
以下、この発明をより詳細に説明するため、この発明を実施するための形態について、添付の図面にしたがって説明する。
【００１０】
実施の形態１．
図１および図２は、実施の形態１に係るリモートコントローラ１の構成を示す図である。リモートコントローラ１は、例えば、空気調和装置を遠隔操作するために用いられる。
図１は、リモートコントローラ１の蓋体４を閉じた状態を示している。図２は、リモートコントローラ１の蓋体４を開いた状態を示している。
【００１１】
リモートコントローラ１は、本体２、表示部３、蓋体４、第１の操作部５および第２の操作部６等を備えて構成される。
以下、リモートコントローラ１が壁面に取り付けられることを前提とし、上下、左右、および前後という用語を使用する。前後方向とは、本体２の厚さ方向である。リモートコントローラ１において、表示部３および蓋体４が設けられている側を、前側とする。また、リモートコントローラ１において、表示部３および蓋体４が設けられている前側と反対側となる面は、壁面への取付面となる。以下、当該取付面を、本体２の厚さ方向基準とする。
ただし、リモートコントローラ１の取り付け姿勢は上記に限定されるものではない。
【００１２】
本実施の形態１では、本体２を方形状とする。図１に示すように、本体２の前側の上部には、表示部３が設けられる。図２に示すように、表示部３は、第１の表示部３１と第２の表示部３２とを有する。第１の表示部３１の前側の面を表面３１ａとし、第２の表示部３２の前側の面を表面３２ａとする。
第１の表示部３１の表面３１ａと、第２の表示部３２の表面３２ａとは、本体２の厚さ方向において面高さが異なる。第１の表示部３１の表面３１ａは、第２の表示部３２の表面３２ａに対して、一段高くなるように形成される。第１の表示部３１と第２の表示部３２とは、表面の高さが異なることにより区分される。
【００１３】
図３は、実施の形態１に係るリモートコントローラ１の断面図である。図３に示すように、第１の表示部３１と第２の表示部３２との境界となる部分には、段差３３が形成される。
【００１４】
第１の表示部３１は、状態表示エリアである。第１の表示部３１には、電源の状態、温度、および運転モード等が表示される。
【００１５】
第２の表示部３２は、操作表示エリアである。第２の表示部３２には、例えば、タイマーの設定情報等が表示される。
【００１６】
図１および図２に示すように、蓋体４は、本体２における前側の下端部に、回動自在に取り付けられる。蓋体４は、本体２の前側の下端部に設けられた軸を中心とし、回動する。当該軸は、左右方向に延設されている。蓋体４は、当該軸を中心に回動する。図３に示すように、蓋体４の上下方向寸法Ａは、本体２の前側下部の端部から表示部３の段差３３までの上下方向距離に相当する。
【００１７】
図１に示すように、蓋体４を閉じた状態で、外部に露出する蓋体４の面を表面４ａとする。表面４ａには、第１の操作部５が形成される。第１の操作部５は、例えば、複数のボタンで構成される。第１の操作部５によれば、蓋体４が閉じた状態でも、後述する第２の操作部６を操作することができる。
【００１８】
図２に示すように、本体２の前側下部には、第２の操作部６が設けられる。第２の操作部６は、例えば、複数のボタンで構成される。
【００１９】
図１に示すように、蓋体４を閉じると、蓋体４は、第２の表示部３２および第２の操作部６を覆う。このとき、蓋体４の表面４ａと、第１の表示部３１の表面３１ａとは、本体２の厚さ方向において、同一の面高さとなる。ただし、同一とは、完全同一のみを指すものではなく、略同一を含む。
【００２０】
図１に示すように、第１の表示部３１における表面３１ａおよび側面３１ｂは、蓋体４の開閉に拘わらず、常に外部に露出する。
図２に示すように、第２の表示部３２における表面３２ａは、蓋体４を開くと外部に露出する。このとき、表面３２ａの面高さは、本体２の厚さ方向の面高さと同一となる。
第２の表示部３２における側面３２ｂ（不図示）は、外部に露出しない。これは、図３に示すように、第２の表示部３２が本体２に収容される形で、表示部３が本体２に取り付けられているためである。
【００２１】
以上のように、実施の形態１に係るリモートコントローラ１は、表示部３が、第１の表示部３１、第２の表示部３２、および第１の表示部３１と第２の表示部３２との境界となる部分に形成された段差３３を有し、蓋体４を閉じると、蓋体４は、第２の表示部３２を覆うとともに、蓋体４の表面４ａと第１の表示部３１の表面３１ａとが、同一の面高さとなる。これにより、蓋体が開いた状態および閉じた状態において、表示部の視認性が改善されたリモートコントローラ１を得ることできる。
【００２２】
実施の形態１に係るリモートコントローラ１によれば、蓋体４が閉じた状態において、利用者は、第２の表示部３２の存在を感じることなく、第１の表示部３１を視認することができる。また、利用者は、蓋体４に遮られることなく外部に露出された第１の表示部３１を視認することができる。これにより、表示部３の視認性が向上する。また、蓋体４の表面４ａと第１の表示部３１の表面３１ａとが同一の面高さであることで、リモートコントローラ１の意匠性が向上する。
【００２３】
表示部に表示される情報の区別を明確にする方法として、例えば、表示部をカラー化すること、または表示部に高精細な液晶を用いることが考えられる。しかし、いずれの場合もコストが上昇する。
これに対し、実施の形態１では、蓋体４が開いた状態において、第１の表示部３１と第２の表示部３２との境界となる部分に段差３３が設けられている。このため、コストの上昇を抑えた構成で、表示部３に表示される情報の区別を明確にすることができる。
【００２４】
実施の形態１に係るリモートコントローラ１は、蓋体４を閉じると、第２の表示部３２が外部に露出しない。不必要な情報が表示されないことで、視認性および意匠性が向上する。
【００２５】
実施の形態１に係るリモートコントローラ１は、蓋体４を閉じると、第２の表示部３２および第２の操作部６が蓋体４で覆われる。不必要な情報および不必要なボタンが外部に露出しないことで、視認性および意匠性が向上する。また、表示に対応する操作ボタンの把握が容易となり、操作性が向上する。
【００２６】
第１の表示部３１と第２の表示部３２とは、本体２の厚さ方向において表面の面高さが異なる。これにより、第１の表示部３１の表面３１ａと、第２の表示部３２の表面３２ａとで、異なるレンズ加工を施すことができる。両者の表示内容の見え方に変化を付けることで、意匠性が向上する。
【００２７】
なお、本願発明はその発明の範囲内において、実施の形態の任意の構成要素の変形、もしくは実施の形態において任意の構成要素の省略が可能である。
【符号の説明】
【００２８】
１  リモートコントローラ、２  本体、３  表示部、４  蓋体、４ａ  表面、５  第１の操作部、６  第２の操作部、３１  第１の表示部、３１ａ  表面、３１ｂ  側面、３２  第２の表示部、３２ａ  表面、３２ｂ  側面、３３  段差。
【図１】
2018157317.tif 000003
【図２】
2018157317.tif 000004
【図３】
2018157317.tif 000005